(57)【要約】【課題】大型の表示装置にユーザに応じた情報を表示するサービスにおいてユーザの利便性を高める。【解決手段】情報を表示するディスプレイ１１と、ディスプレイ１１に対するユーザの位置を検出する近接センサ１２と、ディスプレイ１１のうち近接センサ１２にて検出された位置に応じた領域に、ユーザに応じた情報を表示させるＣＰＵ１３とを有する。【選択図】図１
2014089501.tif 000002
【特許請求の範囲】
【請求項１】
情報を表示する情報表示手段と、
前記情報表示手段に対するユーザの位置を検出する位置検出手段と、
前記情報表示手段のうち前記位置検出手段にて検出された位置に応じた領域に、前記ユーザに応じた情報を表示させる制御手段とを有する表示装置。
【請求項２】
請求項１に記載の表示装置において、
前記ユーザが所持する携帯端末からユーザ識別情報を取得する識別情報取得手段を有し、
前記制御手段は、前記識別情報取得手段にて取得されたユーザ識別情報を用いて検索された前記ユーザに応じた情報を前記情報表示手段に表示させる表示装置。
【請求項３】
請求項２に記載の表示装置において、
前記情報表示手段に表示されるコンテンツ情報を記憶した第１の記憶手段を有し、
前記制御手段は、前記識別情報取得手段にて取得されたユーザ識別情報を用いて前記第１の記憶手段から前記ユーザに応じたコンテンツ情報を検索し、検索されたコンテンツ情報を前記情報表示手段に表示させる表示装置。
【請求項４】
請求項１乃至３のいずれか１項に記載の表示装置において、
携帯端末と近距離通信可能な近距離通信用アンテナを複数有し、
前記制御手段は、携帯端末と通信を行っている前記近距離通信用アンテナが複数ある場合、当該複数の近距離通信用アンテナ間の距離に基づいて、前記位置検出手段にて位置が検出されているユーザの数を判別し、複数のユーザの位置が検出されていると判別した場合、当該複数のユーザ毎に、該ユーザの位置に応じた領域に該ユーザに応じた情報を表示させる表示装置。
【請求項５】
表示装置と、携帯端末とを有する表示システムであって、
前記表示装置は、
情報を表示する情報表示手段と、
前記携帯端末を所持するユーザの前記情報表示手段に対する位置を検出する位置検出手段と、
前記携帯端末からユーザ識別情報を取得する識別情報取得手段と、
前記情報表示手段のうち前記位置検出手段にて検出した位置に応じた領域に、前記識別情報取得手段にて取得されたユーザ識別情報を用いて検索されたユーザに応じた情報を表示させる制御手段とを有し、
前記携帯端末は、
前記ユーザ識別情報を前記表示装置に送信する識別情報送信手段を有する表示システム。
【請求項６】
請求項５に記載の表示システムにおいて、
前記表示装置に接続されるサーバ装置を有し、
前記サーバ装置は、
前記情報表示手段に表示されるコンテンツ情報を記憶した第２の記憶手段と、
前記ユーザ識別情報を用いて前記第２の記憶手段から前記ユーザに応じたコンテンツ情報を検索する情報検索手段と、
前記表示装置から前記ユーザ識別情報を取得し、また、前記情報検索手段にて検索されたコンテンツ情報を前記表示装置に送信する第１の通信手段とを有し、
前記表示装置は、
前記識別情報取得手段にて取得されたユーザ識別情報を前記サーバ装置に送信し、また、前記サーバ装置から送信されたコンテンツ情報を受信する第２の通信手段を有し、
前記制御手段は、前記第２の通信手段にて受信されたコンテンツ情報を前記情報表示手段に表示させる表示システム。
【請求項７】
情報を表示する情報表示手段に対するユーザの位置を検出する位置検出処理と、
前記情報表示手段のうち前記位置検出処理にて検出した位置に応じた領域に、前記ユーザに応じた情報を表示する情報表示処理とを有する表示制御方法。
【請求項８】
コンピュータに、
情報を表示する情報表示手段に対するユーザの位置を検出する位置検出手順と、
前記情報表示手段のうち前記位置検出手順にて検出した位置に応じた領域に、前記ユーザに応じた情報を表示する情報表示手順とを実行させるためのプログラム。
【請求項９】
表示装置が、ユーザ識別情報を用いて検索されたユーザに応じた情報を前記ユーザの位置に応じた領域に表示する表示システムに用いられる携帯端末であって、
前記ユーザ識別情報を前記表示装置に送信する識別情報送信手段を有する携帯端末。
【請求項１０】
表示装置が、ユーザに応じた情報を前記ユーザの位置に応じた領域に表示する表示システムに用いられるサーバ装置であって、
前記表示装置に表示されるコンテンツ情報を記憶した記憶手段と、
前記表示装置にて前記ユーザが所持する携帯端末から取得されたユーザ識別情報を用いて前記記憶手段から前記ユーザに応じたコンテンツ情報を検索する情報検索手段と、
前記表示装置を介して前記ユーザ識別情報を取得し、また、前記情報検索手段にて検索されたコンテンツ情報を前記表示装置に送信する通信手段とを有するサーバ装置。
【発明の詳細な説明】
【技術分野】
【０００１】
本発明は、ユーザに応じた情報を表示する表示装置、表示システム及び表示制御方法に関する。
【背景技術】
【０００２】
デジタル技術を活用して平面ディスプレイ等に映像や情報を表示するデジタルサイネージと呼ばれる電子看板が利用されている。このような電子看板は、大型のディスプレイを有し、例えば、商業施設や駅前等の公共的スペースに配置され、表示された情報を複数のユーザが同時に閲覧可能となっている。
【０００３】
上記のような電子看板として、携帯端末と連動して情報を表示するものが考えられている。例えば、携帯端末に接続されるサーバコンピュータによって、携帯端末に対する操作に応じて電子看板における表示を制御する技術が、特許文献１に開示されている。また、携帯端末を識別するためのＩＤをサーバに送信することによって、サーバが携帯端末を介しての電子看板の表示の制御を許可し、その後、携帯端末に対する操作に応じて電子看板における表示が制御される技術が、特許文献２に開示されている。
【０００４】
また、近年では、表示装置の赤外線発信機から発信されたＩＤ情報を、ユーザが身に着けた名札型の無線測位端末で受信し、当該無線測位端末から無線基地局経由でサーバにＩＤ情報を通知することにより、表示装置の近くにいるユーザを特定し、その利用者に関する情報を表示装置に表示する技術も考えられており、非特許文献１に開示されている。
【０００５】
また、ユーザの身長に応じて情報を表示する高さを変えるタッチパネル技術も考えられており、特許文献３に開示されている。
【先行技術文献】
【特許文献】
【０００６】
【特許文献１】特開２０１１−１２３６９８号公報
【特許文献２】特開２０１０−１７６６４８号公報
【特許文献３】特開２０１１−１１８８０７号公報
【非特許文献】
【０００７】
【非特許文献１】“初対面でも話しやすい雰囲気を作り出すシステムを開発”http://www.nec.co.jp/press/ja/0902/2701.html
【発明の概要】
【発明が解決しようとする課題】
【０００８】
上述した電子看板のような表示装置においては、複数のユーザが同時に利用することが考えられる。その際、特許文献１，２や非特許文献１に開示されたものにおいては、表示装置に対するユーザの位置が考慮されていないため、例えば、ユーザが表示装置の左端でサービスインしたとしても、そのユーザに関する情報が表示装置の右端に表示されてしまう等、ユーザとは離れた領域に情報が表示されてしまう場合がある。なお、非特許文献１に開示された技術においては、ユーザが表示装置の近くにいることを把握できるものの、表示装置とユーザとの詳細な位置関係までは把握することができない。また、特許文献３に開示された技術のように、ユーザの身長に応じて情報を表示する高さを変えたとしても、ユーザの位置を考慮しているものではないため、上記同様に、ユーザとは離れた領域に情報が表示されてしまう場合が生じる。
【０００９】
表示装置においてユーザの位置が考慮されずに情報が表示されると、ユーザは、サービスインした際に、自分に関する情報が表示装置のどこに表示されているのか探さなければならず、サービスを快適に利用できるとは言い難い。
【００１０】
また、上述した電子看板のような表示装置を用いたサービスにおいては、サービスインしたユーザが移動せずにサービスを継続して受けられることが好ましい。ところが、上述したようにユーザに関する情報がそのユーザとは離れた領域に表示された場合、情報が見やすい位置までユーザが移動することとなり、上記同様にサービスを快適に利用できるとは言い難い。また、ユーザがサービスインした位置から移動することが困難である場合、離れた位置から情報を閲覧することになってしまう。
【００１１】
このように、特許文献１〜３や非特許文献１に開示された技術を用いたものにおいては、表示装置にユーザに応じた情報を表示するサービスをユーザが快適に利用できるとは言い難く、利便性が低いという問題点がある。このような問題点は、表示装置が大型化するほど顕著に生じる。
【００１２】
本発明は、上述したような技術が有する問題点に鑑みてなされたものであって、大型の表示装置にユーザに応じた情報を表示するサービスにおいてユーザの利便性を高めることができる、表示装置、表示システム、表示制御方法、プログラム、携帯端末及びサーバ装置を提供することを目的とする。
【課題を解決するための手段】
【００１３】
上記目的を達成するために本発明は、
情報を表示する情報表示手段と、
前記情報表示手段に対するユーザの位置を検出する位置検出手段と、
前記情報表示手段のうち前記位置検出手段にて検出された位置に応じた領域に、前記ユーザに応じた情報を表示させる制御手段とを有する。
【００１４】
また、表示装置と、携帯端末とを有する表示システムであって、
前記表示装置は、
情報を表示する情報表示手段と、
前記携帯端末を所持するユーザの前記情報表示手段に対する位置を検出する位置検出手段と、
前記携帯端末からユーザ識別情報を取得する識別情報取得手段と、
前記情報表示手段のうち前記位置検出手段にて検出した位置に応じた領域に、前記識別情報取得手段にて取得されたユーザ識別情報を用いて検索されたユーザに応じた情報を表示させる制御手段とを有し、
前記携帯端末は、
前記ユーザ識別情報を前記表示装置に送信する識別情報送信手段を有する。
【００１５】
また、情報を表示する情報表示手段に対するユーザの位置を検出する位置検出処理と、
前記情報表示手段のうち前記位置検出処理にて検出した位置に応じた領域に、前記ユーザに応じた情報を表示する情報表示処理とを有する。
【００１６】
また、コンピュータに実行させるためのプログラムであって、
情報を表示する情報表示手段に対するユーザの位置を検出する位置検出手順と、
前記情報表示手段のうち前記位置検出手順にて検出した位置に応じた領域に、前記ユーザに応じた情報を表示する情報表示手順とを実行させる。
【００１７】
また、表示装置が、ユーザ識別情報を用いて検索されたユーザに応じた情報を前記ユーザの位置に応じた領域に表示する表示システムに用いられる携帯端末であって、
前記ユーザ識別情報を前記表示装置に送信する識別情報送信手段を有する。
【００１８】
また、表示装置が、ユーザに応じた情報を前記ユーザの位置に応じた領域に表示する表示システムに用いられるサーバ装置であって、
前記表示装置に表示されるコンテンツ情報を記憶した記憶手段と、
前記表示装置にて前記ユーザが所持する携帯端末から取得されたユーザ識別情報を用いて前記記憶手段から前記ユーザに応じたコンテンツ情報を検索する情報検索手段と、
前記表示装置を介して前記ユーザ識別情報を取得し、また、前記情報検索手段にて検索されたコンテンツ情報を前記表示装置に送信する通信手段とを有する。
【発明の効果】
【００１９】
本発明によれば、大型の表示装置にユーザに応じた情報を表示するサービスにおいてユーザの利便性を高めることができる。
【図面の簡単な説明】
【００２０】
【図１】本発明の表示装置の第１の実施の形態を示す図であり、（ａ）はブロック図、（ｂ）は外観図である。
【図２】図１に示した表示装置における表示制御方法を説明するためのフローチャートである。
【図３】図１に示した表示装置にて情報が表示された状態を示す図である。
【図４】本発明の表示装置の第２の実施の形態を示すブロック図である。
【図５】図４に示した表示装置を用いた表示システムの一例を示すブロック図である。
【図６】図５に示した表示システムにおける表示制御方法の一例を説明するためのフローチャートである。
【図７】図５に示した表示システムにおける表示制御方法の他の例を説明するためのフローチャートである。
【図８】図５に示した表示システムにおける表示制御方法の他の例を説明するためのフローチャートである。
【図９】図５に示した表示システムにてディスプレイに情報が表示された後の動作の一例を説明するためのフローチャートである。
【図１０】本発明の表示装置の第６の実施の形態を示す図であり、（ａ）はブロック図、（ｂ）は（ａ）に示した近距離通信用アンテナの配置を示す図である。
【図１１】図１０に示した表示装置における表示制御方法を説明するためのフローチャートである。
【図１２】図１０に示した表示装置にて近距離通信用アンテナが携帯端末と近距離通信を行う状態を示す図である。
【図１３】図１０に示した表示装置において携帯端末との間にて近距離通信を行っている近距離通信用アンテナが複数ある場合の処理を説明するための図である。
【図１４】図１０に示した表示装置における表示領域の特定方法を説明するための図である。
【図１５】本発明の第７の実施の形態による表示システムを示す図である。
【図１６】図１５に示した表示システムにおける表示制御方法の一例を説明するためのフローチャートである。
【図１７】本発明の第８の実施の形態による表示システムを示す図である。
【発明を実施するための形態】
【００２１】
以下に、本発明の実施の形態について図面を参照して説明する。
【００２２】
（第１の実施の形態）
図１は、本発明の表示装置の第１の実施の形態を示す図であり、（ａ）はブロック図、（ｂ）は外観図である。
【００２３】
本形態における表示装置は図１に示すように、情報表示手段となるディスプレイ１１と、位置検出手段となる近接センサ１２と、制御手段となるＣＰＵ１３とを有している。
【００２４】
ディスプレイ１１は、液晶等からなり、表示装置１０の全面に設けられており、情報を表示する。
【００２５】
近接センサ１２は、ディスプレイ１１上にマトリックス状に複数配置され、ディスプレイ１１の前面に存在する遮蔽物を検出する。
【００２６】
ＣＰＵ１３は、ディスプレイ１１のうち、近接センサ１２にて遮蔽物が検出された位置に応じた領域情報を表示させる。
【００２７】
以下に、上記のように構成された表示装置１０における表示制御方法について説明する。
【００２８】
図２は、図１に示した表示装置１０における表示制御方法を説明するためのフローチャートである。
【００２９】
ディスプレイ１１の前面にユーザが近づくと、近接センサ１２が遮蔽物としてユーザの位置を検出する（ステップ１）。
【００３０】
ＣＰＵ１３は、近接センサ１２にてユーザの位置が検出されると、ディスプレイ１１のうち、検出された位置に応じた領域にユーザに応じた情報を表示させる（ステップ２）。
【００３１】
図３は、図１に示した表示装置１０にて情報が表示された状態を示す図である。
【００３２】
近接センサ１２は、上述したようにディスプレイ１１上にマトリックス状に複数配置されていることにより、ディスプレイ１１の前面にユーザが近づくと、図３に示すように、ユーザによって光が遮蔽された近接センサ１２（図中黒丸）により、ユーザの位置を検出することができる。なお、近接センサ１２の代わりに照度センサを用い、ディスプレイ１１に照射される光の照度を検出することによってもユーザの位置を検出することができる。
【００３３】
ＣＰＵ１３は、隣接する近接センサ１２が遮蔽物を検出していれば、同一のユーザであると判断する。そして、ＣＰＵ１３は、ユーザのそれぞれについて、遮蔽物を検出した近接センサ１２の最上端と最下端との中間点を横基準２ａ，２ｂとし、また、遮蔽物を検出した近接センサ１２の最左端と最右端との中間点を縦基準３ａ，３ｂとする。
【００３４】
ＣＰＵ１３は、これら横基準２ａ，２ｂ及び縦基準３ａ，３ｂを用い、ディスプレイ１１において、遮蔽物を検出した近接センサ１２の最上端と横基準２ａ，２ｂとの間であって、縦基準３ａ，３ｂから左右所定の幅の領域を表示領域１ａ，１ｂとして情報を表示させる。
【００３５】
このように、ＣＰＵ１３は、ディスプレイ１１のうち、近接センサ１２にて検出されたユーザの位置に応じた領域に情報を表示させる。
【００３６】
ディスプレイ１１の表示領域１ａ，１ｂに表示する情報としては、近接センサ１２にてその位置が検出されたユーザに応じた情報が考えられる。このような情報は、表示装置１０に予め記憶されており、近接センサ１２にて上記のようにユーザがディスプレイ１１に近づいたことが検出された場合に、記憶された情報をＣＰＵ１３がディスプレイ１１に表示させる。
【００３７】
上述したように本形態においては、ユーザが表示装置１０に近づくと、近接センサ１２がユーザの位置を検出し、ＣＰＵ１３が、ディスプレイ１１のうちユーザの位置に応じた領域に、ユーザに応じた情報を表示させるので、ディスプレイ１１にて情報を表示するサービスにサービスインしたユーザから離れた領域に情報が表示されてしまうことがなく、ユーザが移動したり、情報が見にくくなってしまったりすることがない。これにより、ユーザの利便性が高まる。
【００３８】
（第２の実施の形態）
図４は、本発明の表示装置の第２の実施の形態を示すブロック図である。
【００３９】
本形態における表示装置は図４に示すように、図１に示したものに対して、近距離通信用アンテナ１４と、第１の記憶手段となるメモリ１５が設けられている点が異なる。
【００４０】
近距離通信用アンテナ１４は、ディスプレイ１１に近づいてきたユーザが所持する携帯端末と近距離通信を行うものである。例えば、BluetoothやFelica、ＮＦＣ等によって近距離通信を行う。
【００４１】
メモリ１５は、ディスプレイ１１に表示されるコンテンツ情報を記憶している。例えば、店舗に関する情報であれば、その店舗から予め提供された情報を記憶している。
【００４２】
図５は、図４に示した表示装置を用いた表示システムの一例を示すブロック図である。
【００４３】
本例における表示システムは図５に示すように、図４に示した表示装置１１０と、表示装置１１０のディスプレイ１１に近づいてきたユーザが所持する携帯端末２０とから構成される。
【００４４】
携帯端末２０は、表示装置１１０の近距離通信用アンテナ１４との間にて近距離通信を行うための近距離通信用アンテナ２１を有している。なお、携帯端末２０は、近距離通信用アンテナ２１以外にも、基地局と通信するための通信用アンテナや無線制御部、情報を表示するディスプレイ、音声を出力するスピーカ、音声を入力するためのマイク、情報を入力するための操作キー等を有しているが、これらは本発明とは直接関係ないため、説明及び図示は省略する。
【００４５】
以下に、上記のように構成された表示システムにおいて、表示装置１１０の近距離通信用アンテナ１４を識別情報取得手段として、また、携帯端末２０の近距離通信用アンテナ２１を識別情報送信手段として用いた場合の表示制御方法について説明する。
【００４６】
図６は、図５に示した表示システムにおける表示制御方法の一例を説明するためのフローチャートである。
【００４７】
携帯端末２０を所持するユーザが表示装置１１０に近づき、ディスプレイ１１の前に立ち、携帯端末２０にユーザ識別情報であるユーザＩＤを入力し、このユーザＩＤが近距離通信用アンテナ２１から送信されると（ステップ１１）、表示装置１１０の近距離通信用アンテナ１４がこのユーザＩＤを受信、取得する（ステップ１２）。
【００４８】
ＣＰＵ１３は、近距離通信用アンテナ１４にて取得されたユーザＩＤを用いて、メモリ１５からコンテンツ情報を検索する（ステップ１３）。
【００４９】
メモリ１５には、上述したようにディスプレイ１１に表示するコンテンツ情報が記憶されているが、このコンテンツ情報にはユーザＩＤが対応づけられている。この対応づけは、ユーザＩＤによって識別されるユーザに提供すべきコンテンツ情報が予め設定されており、この設定に基づいて行われている。また、コンテンツ情報がユーザＩＤに直接対応づけられているのではなく、例えば、ユーザの氏名や居住地、年齢、趣味嗜好等の情報がユーザＩＤと対応づけられてメモリ１５に記憶されているとともに、メモリ１５に記憶されたコンテンツ情報を提供するのに適した居住地や年齢、趣味嗜好等が設定されており、これらを用いて対応づけていてもよい。これにより、ＣＰＵ１３は、ユーザＩＤによって識別されるユーザに応じたコンテンツ情報をメモリ１５から検索することができる。
【００５０】
ディスプレイ１１の前面にユーザが近づくと、第１の実施の形態に示したものと同様に、近接センサ１２が遮蔽物としてユーザの位置を検出する（ステップ１４）。
【００５１】
ＣＰＵ１３は、メモリ１５から検索されたコンテンツ情報を、ディスプレイ１１のうち、ステップ１４にて検出された位置に応じた領域に表示させる（ステップ１５）。
【００５２】
上述したように本形態においては、メモリ１５に記憶されたコンテンツ情報の中から、ユーザＩＤに予め対応づけられたコンテンツ情報を検索し、このコンテンツ情報をディスプレイ１１に表示することになるため、表示システムを利用するユーザが多い場合であっても、ユーザに応じた情報を表示することができる。
【００５３】
（第３の実施の形態）
図５に示した構成された表示システムにおいて、表示装置１１０の近距離通信用アンテナ１４をユーザ情報取得手段として、また、携帯端末２０の近距離通信用アンテナ２１をユーザ情報送信手段として用いた場合の表示制御方法について説明する。
【００５４】
図７は、図５に示した表示システムにおける表示制御方法の他の例を説明するためのフローチャートである。
【００５５】
携帯端末２０を所持するユーザが表示装置１１０に近づき、ディスプレイ１１の前に立ち、ユーザの居住地や年齢、趣味嗜好等のユーザ情報を入力し、このユーザ情報が近距離通信用アンテナ２１から送信されると（ステップ２１）、表示装置１１０の近距離通信用アンテナ１４がこのユーザ情報を受信、取得する（ステップ２２）。
【００５６】
ＣＰＵ１３は、近距離通信用アンテナ１４にて取得されたユーザ情報を用いて、メモリ１５からコンテンツ情報を検索する（ステップ２３）。
【００５７】
メモリ１５には、上述したようにディスプレイ１１に表示するコンテンツ情報が記憶されているが、コンテンツ情報には、そのコンテンツ情報を提供するのに適した居住地や年齢、趣味嗜好等が対応づけられている。これにより、ＣＰＵ１３は、ユーザ情報に応じたコンテンツ情報をメモリ１５から検索することができる。
【００５８】
ディスプレイ１１の前面にユーザが近づくと、第１の実施の形態に示したものと同様に、近接センサ１２が遮蔽物としてユーザの位置を検出する（ステップ２４）。
【００５９】
ＣＰＵ１３は、メモリ１５から検索されたコンテンツ情報を、ディスプレイ１１のうち、ステップ２４にて検出された位置に応じた領域に表示させる（ステップ２５）。
【００６０】
上述したように本形態においては、メモリ１５に記憶されたコンテンツ情報の中から、ユーザの居住地や年齢、趣味嗜好等のユーザ情報に予め対応づけられたコンテンツ情報を検索し、このコンテンツ情報をディスプレイ１１に表示することになるため、表示システムを利用するユーザが多い場合であっても、ユーザに応じて、ユーザの居住地や年齢、趣味嗜好等に合った情報を表示することができる。
【００６１】
（第４の実施の形態）
図５に示した構成された表示システムにおいて、表示装置１１０の近距離通信用アンテナ１４を履歴取得手段として、また、携帯端末２０の近距離通信用アンテナ２１を履歴送信手段として用いた場合の表示制御方法について説明する。
【００６２】
図８は、図５に示した表示システムにおける表示制御方法の他の例を説明するためのフローチャートである。
【００６３】
携帯端末２０を所持するユーザが表示装置１１０に近づくと、携帯端末２０の近距離通信用アンテナ２１から携帯端末２０における動作履歴を示す履歴情報が送信され（ステップ３１）、表示装置１１０の近距離通信用アンテナ１４がこの履歴情報を受信、取得する（ステップ３２）。これは、例えば、表示装置１１０が、携帯端末２０の履歴情報を送信する旨の要求を近距離通信用アンテナ１４から常時送信しており、携帯端末２０がこの要求を近距離通信用アンテナ２１にて受信すると、携帯端末２０の履歴情報を近距離通信用アンテナ２１から送信することが考えられる。動作履歴としては、携帯端末２０にて過去に入力された検索条件やその検索結果等が考えられる。
【００６４】
ＣＰＵ１３は、近距離通信用アンテナ１４にて取得された履歴情報を用いて、メモリ１５からコンテンツ情報を検索する（ステップ３３）。例えば、動作履歴として携帯端末２０にて過去に入力された検索条件を携帯端末２０から取得した場合は、この検索条件を用いてコンテンツ情報を検索することができる。また、動作履歴として検索結果を携帯端末２０から取得した場合は、検索結果に関してメモリ１５に記憶された情報を検索することができる。例えば、検索結果として得られた店舗について、メモリ１５に記憶されたサービスやクーポン情報を検索することができる。
【００６５】
ディスプレイ１１の前面にユーザが近づくと、第１の実施の形態に示したものと同様に、近接センサ１２が遮蔽物としてユーザの位置を検出する（ステップ３４）。
【００６６】
ＣＰＵ１３は、メモリ１５から検索されたコンテンツ情報を、ディスプレイ１１のうち、ステップ３４にて検出された位置に応じた領域に表示させる（ステップ３５）。
【００６７】
上述したように本形態においては、メモリ１５に記憶されたコンテンツ情報の中から、携帯端末２０における動作履歴に応じたコンテンツ情報を検索し、このコンテンツ情報を表示することになるため、表示システムを利用するユーザが興味ある情報を表示することができる。
【００６８】
例えば、ユーザがこれから行こうとする店舗について携帯端末２０にて検索を行っていた場合、ユーザが表示装置１１０に近づくだけで、ディスプレイ１１にその店舗までの道案内情報を表示することができる。また、店舗のメニューをディスプレイ１１に表示することで、ユーザは、オーダーする食事の選択をすることができ、それにより、店舗におけるユーザの待ち時間を短縮することができる。この際、複数のユーザが表示装置に同時に近づいても、複数のユーザ毎に、ディスプレイ１１のユーザの位置に応じた領域にそのユーザ用のウィンドウが開き、情報が表示されるので、ユーザは待たされることなく情報を閲覧することができる。
【００６９】
なお、携帯端末２０の動作履歴について、例えば、検索条件や検索結果のうち興味を持ったもののみを残しておき、それ以外のものを削除することにより、表示装置１１０に表示される情報を絞り込むことができる。
【００７０】
（第５の実施の形態）
図５に示した構成された表示システムにてディスプレイ１１に情報が表示された後の動作について説明する。
【００７１】
図９は、図５に示した表示システムにてディスプレイ１１に情報が表示された後の動作の一例を説明するためのフローチャートである。
【００７２】
本形態においては、表示装置１１０の近距離通信用アンテナ１４を提供情報送信手段として、また、携帯端末２０の近距離通信用アンテナ２１を提供情報取得手段として用いる。
【００７３】
ディスプレイ１１にユーザに応じたクーポン情報が表示されている状態において（ステップ４１）、携帯端末２０に対して所定の操作が行われることにより、ディスプレイ１１に表示されているクーポン情報を携帯端末２０が指定すると（ステップ４２）、表示装置１１０がこの指定を受け付ける（ステップ４３）。なお、この指示のやりとりについても、携帯端末２０の近距離通信用アンテナ２１と、表示装置１１０の近距離通信用アンテナ１４との間で行うことが考えられる。
【００７４】
表示装置１１０がクーポン情報の指定を受け付けると、ＣＰＵ１３は、指定されたクーポン情報を近距離通信用アンテナ１４から送信する（ステップ４４）。
【００７５】
携帯端末２０は、表示装置１１０から送信されたクーポン情報を近距離通信用アンテナ２１にて受信し（ステップ４５）、携帯端末２０内のメモリにクーポン情報を記憶することにより、携帯端末２０のユーザがクーポン情報を利用可能となる。
【００７６】
本形態は、ユーザが表示装置１１０に近づくとクーポン情報を得ることができるので、ユーザが所定の場所に行くことによりクーポン情報を得ることができるサービスに相性がよい。
【００７７】
なお、表示装置１１０から携帯端末２０に送信する情報としては、クーポン情報に限らない。例えば、ディスプレイ１１に店舗までの地図が表示されている場合に、その地図を指定することにより、地図を携帯端末２０に送信することも考えられる。
【００７８】
（第６の実施の形態）
図１０は、本発明の表示装置の第６の実施の形態を示す図であり、（ａ）はブロック図、（ｂ）は（ａ）に示した近距離通信用アンテナ１４−１〜１４−ｎの配置を示す図である。
【００７９】
本形態における表示装置は図６に示すように、図１に示したものに対して、複数の近距離通信用アンテナ１４−１〜１４−ｎが設けられている点が異なる。
【００８０】
近距離通信用アンテナ１４−１〜１４−ｎは、ディスプレイ１１の面に沿ってマトリックス状に配置されている。
【００８１】
以下に、上記のように構成された表示装置における表示制御方法について説明する。
【００８２】
図１１は、図１０に示した表示装置における表示制御方法を説明するためのフローチャートである。
【００８３】
ディスプレイ１１の前面にユーザが近づくと、第１の実施の形態に示したものと同様に、近接センサ１２が遮蔽物としてユーザの位置を検出する（ステップ５１）。
【００８４】
また、近距離通信用アンテナ１４−１〜１４−ｎにおいては、携帯端末が近づくと、近づいた携帯端末との間にて近距離通信を開始する。
【００８５】
図１２は、図１０に示した表示装置にて近距離通信用アンテナ１４−１〜１４−ｎが携帯端末と近距離通信を行う状態を示す図である。
【００８６】
近距離通信用アンテナ１４−１〜１４−ｎは、上述したようにディスプレイ１１の面に沿ってマトリックス状に配置されているため、携帯端末の位置に応じて電波の強度が異なることになる。そのため、ＣＰＵ１３は、電波の強度が最も強い近距離通信用アンテナが携帯端末との間にて近距離通信を行うものと判断する（ステップ５２）。
【００８７】
図１２に示す例においては、近距離通信用アンテナ１４−５が携帯端末２０に最も近いことにより電波の強度が最も強く、ＣＰＵ１３は、近距離通信用アンテナ１４−５が携帯端末との間にて近距離通信を行うものと判断する。
【００８８】
また、ＣＰＵ１３は、携帯端末との間にて近距離通信を行っている近距離通信用アンテナが複数あるかどうかを判断する（ステップ５３）。これは、近距離通信用アンテナ１４−１〜１４−ｎにおいては、上述したようにディスプレイ１１の面に沿ってマトリックス状に配置されており、電波の強度が、携帯端末に最も近い近距離通信用アンテナを中心として放射状に弱くなっていくことを利用して、電波が検出される一群の近距離通信用アンテナのうち電波の強度が最も高い近距離通信用アンテナがいくつあるかを検出することによって行う。
【００８９】
ＣＰＵ１３は、携帯端末との間にて近距離通信を行っている近距離通信用アンテナが複数あると判断した場合は、それが同一のユーザが所持しているものであるかを判断する（ステップ５４）。
【００９０】
図１３は、図１０に示した表示装置において携帯端末との間にて近距離通信を行っている近距離通信用アンテナが複数ある場合の処理を説明するための図である。
【００９１】
図１３に示すように、携帯端末との間にて近距離通信を行っている近距離通信用アンテナが２つ存在し、その近距離通信用アンテナによる２つの検出領域４ａ，４ｂが存在する場合、ＣＰＵ１３は、２つの検出領域４ａ，４ｂを中心とした一定の範囲を認識範囲５ａ，５ｂとし、これら認識範囲５ａ，５ｂが一定の割合以上重なっている場合は、２つの近距離通信用アンテナがそれぞれ通信を行っている２つの携帯端末が、同一のユーザが所持しているものと判断する。すなわち、ＣＰＵ１３は、携帯端末と通信を行っている２つの近距離通信用アンテナ間の距離に基づいて、２つの携帯端末が、同一のユーザが所持しているものであるかを判断する。
【００９２】
ＣＰＵ１３は、２つの携帯端末が、同一のユーザが所持しているものであるかに応じて、ステップ５１にて検出されたユーザの位置と、検出領域４ａ，４ｂとを対応づけ、ディスプレイ１１に情報を表示する表示領域を特定する。
【００９３】
図１４は、図１０に示した表示装置における表示領域の特定方法を説明するための図である。
【００９４】
図１４に示すように、ＣＰＵ１３は、遮蔽物を検出した近接センサ１２同士を線で結んだとき、結合した集合体を一人のユーザの全体像と考え、その上端、下端、左端、右端をそのユーザに対する最大領域とする。その上で、最大領域内にある近距離通信用アンテナ１４のうち、携帯端末と通信を行っていると判断した近距離通信用アンテナ１４を中心としてユーザの手が届く範囲（例えば、検出した人物像の身長を用いて、例えば、（身長―肩幅）÷２）によって手の長さを算出）を表示領域１０１として特定する。
【００９５】
ＣＰＵ１３は、ステップ５４にて、複数の近距離通信用アンテナのそれぞれと近距離通信を行っている複数の携帯端末が同一のユーザが所持しているものであると判断した場合は、複数の携帯端末と近距離通信を行っている複数の近距離通信用アンテナのうち、上述した最大領域の中心に最も近い近距離通信用アンテナを中心とした表示領域を特定する（ステップ５５）。
【００９６】
また、ＣＰＵ１３は、ステップ５４にて、複数の近距離通信用アンテナのそれぞれと近距離通信を行っている複数の携帯端末が異なるユーザが所持しているものであると判断した場合は、複数の携帯端末と近距離通信を行っている複数の近距離通信用アンテナのそれぞれを中心とした表示領域をユーザ毎に特定する（ステップ５６）。
【００９７】
ＣＰＵ１３は、ディスプレイ１１のうち、特定された表示領域にユーザに応じた情報を表示させる（ステップ５７）。
【００９８】
上述したように本形態においては、複数の近距離通信用アンテナ１４−１〜１４−ｎを用いてユーザが所持する携帯端末の位置を検出することによってもユーザの位置を認識することができ、ユーザの位置に応じた領域に情報を表示させることができる。この際、携帯端末と近距離通信を行う近距離通信用アンテナが複数存在する場合、複数の近距離通信用アンテナ間の距離に基づいて、位置が検出されているユーザの数を判別するため、一人のユーザが複数の携帯端末を所持していたとしても、そのユーザの位置に応じた領域にそのユーザに応じた情報を表示させることができる。
【００９９】
（第７の実施の形態）
図１５は、本発明の第７の実施の形態による表示システムを示す図である。
【０１００】
本形態における表示システムは図１５に示すように、携帯端末２０と、表示装置２１０と、サーバ装置となるコンテンツサーバ３０とから構成される。
【０１０１】
携帯端末２０は、第２の実施の形態にて示したものと同様のものであって、近距離通信用アンテナ２１を有している。
【０１０２】
表示装置２１０は、第２の実施の形態にて示したものに対して、メモリ１５の代わりに第２の通信手段となる通信部１６を有している。
【０１０３】
通信部１６は、近距離通信用アンテナ１４にて取得されたユーザＩＤを通信回線４０を介してコンテンツサーバ３０に送信し、また、コンテンツサーバ３０から送信されたコンテンツ情報を通信回線４０を介して受信する。
【０１０４】
コンテンツサーバ３０は、通信回線４０を介して表示装置２１０と接続され、第２の記憶手段となるメモリ３１と、情報検索手段となる情報検索部３２と、第１の通信手段となる通信部３３とを有している。
【０１０５】
メモリ３１は、表示装置２１０のディスプレイ１１に表示されるコンテンツ情報を記憶している。
【０１０６】
情報検索部３２は、表示装置２１０から送信されてきたユーザＩＤを用いてメモリ３１からユーザに応じたコンテンツ情報を検索する。
【０１０７】
通信部３３は、表示装置２１０から送信されてきたユーザＩＤを通信回線４０を介して受信、取得し、また、情報検索部３２にて検索されたコンテンツ情報を通信回線４０を介して表示装置２１０に送信する。
【０１０８】
以下に、上記のように構成された表示システムにおける表示制御方法について説明する。
【０１０９】
図１６は、図１５に示した表示システムにおける表示制御方法の一例を説明するためのフローチャートである。
【０１１０】
携帯端末２０を所持するユーザが表示装置１１０に近づき、ディスプレイ１１の前に立ち、携帯端末２０にユーザ識別情報であるユーザＩＤを入力し、このユーザＩＤが近距離通信用アンテナ２１から送信されると（ステップ６１）、表示装置２１０の近距離通信用アンテナ１４がこのユーザＩＤを受信、取得し、ＣＰＵ１３の制御によって、コンテンツサーバ３０に送信する（ステップ６２）。
【０１１１】
また、ディスプレイ１１の前面にユーザが近づくと、第１の実施の形態に示したものと同様に、近接センサ１２が遮蔽物としてユーザの位置を検出する（ステップ６３）。
【０１１２】
表示装置２１０の近距離通信用アンテナ１４から送信されたユーザＩＤは、通信回線４０を介してコンテンツサーバ３０の通信部３３にて受信、取得される（ステップ６４）。
【０１１３】
ユーザＩＤが通信部３３にて取得されると、情報検索部３２は、通信部３３にて取得されたユーザＩＤを用いて、メモリ３１からコンテンツ情報を検索する（ステップ６５）。
【０１１４】
メモリ３１には、上述したようにディスプレイ１１に表示するコンテンツ情報が記憶されているが、このコンテンツ情報にはユーザＩＤが対応づけられている。この対応づけは、ユーザＩＤによって識別されるユーザに提供すべきコンテンツ情報が予め設定されており、この設定に基づいて行われている。また、コンテンツ情報がユーザＩＤに直接対応づけられているのではなく、例えば、ユーザの氏名や居住地、年齢、趣味嗜好等の情報がユーザＩＤと対応づけられてメモリ３１に記憶されているとともに、メモリ３１に記憶されたコンテンツ情報を提供するのに適した居住地や年齢、趣味嗜好等が設定されており、これらを用いて対応づけていてもよい。これにより、情報検索部３２は、ユーザＩＤによって識別されるユーザに応じたコンテンツ情報をメモリ３１から検索することができる。
【０１１５】
情報検索部３２にてコンテンツ情報が検索されると、通信部３３がコンテンツ情報を表示装置２１０に送信する（ステップ６６）。
【０１１６】
コンテンツサーバ３０の通信部３３から送信されたコンテンツ情報は、通信回線４０を介して表示装置２１０の通信部１６にて受信、取得される（ステップ６７）。
【０１１７】
その後、ＣＰＵ１３が、通信部１６にて受信されたコンテンツ情報を、ディスプレイ１１のうち、ステップ６３にて検出された位置に応じた領域に表示させる（ステップ６８）。
【０１１８】
上述したように本形態においては、メモリ３１に記憶されたコンテンツ情報の中から、ユーザＩＤに予め対応づけられたコンテンツ情報を検索し、このコンテンツ情報をディスプレイ１１に表示することになるため、第２の実施の形態に示したものと同様に、表示システムを利用するユーザが多い場合であっても、ユーザに応じた情報を表示することができる。
【０１１９】
（第８の実施の形態）
図１７は、本発明の第８の実施の形態による表示システムを示す図である。
【０１２０】
本形態における表示システムは図１７に示すように、第７の実施の形態にて示したものに対して、コンテンツサーバ１３０に課金処理手段となる課金処理部３４が設けられている点が異なるものである。
【０１２１】
課金処理部３４は、携帯端末２０を特定可能な端末特定情報を用いて、コンテンツ情報の提供に応じた料金を携帯端末２０に課金する。
【０１２２】
上記のように構成された表示システムにおいては、携帯端末２０を特定可能な電話番号等の端末特定情報を近距離通信用アンテナ２１から送信し、表示装置２１０の近距離通信用アンテナ１４がこの端末特定情報を受信し、コンテンツサーバ１３０に送信する。表示装置２１０から送信された端末特定情報は通信回線４０を介してコンテンツサーバ１３０の通信部３３にて受信される。コンテンツサーバ１３０の課金処理部３４は、第７の実施の形態にて示したもののようにコンテンツ情報を提供した場合、端末特定情報を用いて携帯端末２０を特定し、コンテンツ情報の提供に応じた料金をその携帯端末２０に課金する。
【０１２３】
このように、コンテンツサーバ１３０に課金処理部３４を設けることにより、コンテンツ情報の提供に応じた課金処理を行うことができる。
【０１２４】
以上、本発明について８つの実施の形態を例に挙げて説明したが、これら８つの実施の形態に示したものを組み合わせた構成としてもよいことは言うまでもない。
【０１２５】
また、上述した実施の形態においては、ユーザの位置を検出する位置検出手段として近接センサ１２を例に挙げて説明したが、赤外線センサ等による熱検知や、カメラ等による画像認識によってユーザの位置を検出してもよく、また、これらの位置検出手段を表示装置とは別に天井面や床面に配置してもよい。
【０１２６】
また、本発明に用いられる携帯端末は、スマートフォンや携帯音楽プレーヤー、携帯ゲーム機、タブレットＰＣやノートＰＣ等、様々なものが考えられる。
【０１２７】
また、本発明においては、表示装置内の処理は上述の専用のハードウェアに基づいて実現されるもの以外に、その機能を実現するためのプログラムを表示装置にて読取可能な記録媒体に記録し、この記録媒体に記録されたプログラムを表示装置に読み込ませ、実行するものであっても良い。表示装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、表示装置に内蔵されたＨＤＤ等を指す。この記録媒体に記録されたプログラムは、例えば、制御ブロックにて読み込まれ、制御ブロックの制御に基づいて、上述したものと同様の処理が行われる。
【産業上の利用可能性】
【０１２８】
本発明の活用例として、モールの大型ビューワを本発明の表示装置の構成とすれば、ユーザが大型ビューワに近づくだけで、ユーザがこれから行こうとする店舗の道案内情報が表示されたり、オーダーする食事の選択をしたりすることができる。
【０１２９】
上記の実施の形態の一部または全部は、以下の付記のようにも記載され得るが、以下には、限られない。
【０１３０】
（付記１）
情報を表示する情報表示手段と、
前記情報表示手段に対するユーザの位置を検出する位置検出手段と、
前記情報表示手段のうち前記位置検出手段にて検出された位置に応じた領域に、前記ユーザに応じた情報を表示させる制御手段とを有する表示装置。
【０１３１】
（付記２）
付記１に記載の表示装置において、
前記ユーザが所持する携帯端末からユーザ識別情報を取得する識別情報取得手段を有し、
前記制御手段は、前記識別情報取得手段にて取得されたユーザ識別情報を用いて検索された前記ユーザに応じた情報を前記情報表示手段に表示させる表示装置。
【０１３２】
（付記３）
付記２に記載の表示装置において、
前記情報表示手段に表示されるコンテンツ情報を記憶した第１の記憶手段を有し、
前記制御手段は、前記識別情報取得手段にて取得されたユーザ識別情報を用いて前記第１の記憶手段から前記ユーザに応じたコンテンツ情報を検索し、検索されたコンテンツ情報を前記情報表示手段に表示させる表示装置。
【０１３３】
（付記４）
付記１乃至３のいずれかに記載の表示装置において、
携帯端末と近距離通信可能な近距離通信用アンテナを複数有し、
前記制御手段は、携帯端末と通信を行っている前記近距離通信用アンテナが複数ある場合、当該複数の近距離通信用アンテナ間の距離に基づいて、前記位置検出手段にて位置が検出されているユーザの数を判別し、複数のユーザの位置が検出されていると判別した場合、当該複数のユーザ毎に、該ユーザの位置に応じた領域に該ユーザに応じた情報を表示させる表示装置。
【０１３４】
（付記５）
付記１乃至４のいずれかに記載の表示装置において、
前記ユーザに関する情報を取得するユーザ情報取得手段を有し、
前記制御手段は、前記ユーザ情報取得手段にて取得されたユーザに関する情報に応じた情報を前記情報表示手段に表示させる表示装置。
【０１３５】
（付記６）
付記１乃至５のいずれかに記載の表示装置において、
前記ユーザが所持する携帯端末の動作履歴を取得する履歴取得手段を有し、
前記制御手段は、前記履歴取得手段にて取得された動作履歴に応じた情報を前記情報表示手段に表示させる表示装置。
【０１３６】
（付記７）
付記１乃至６のいずれかに記載の表示装置において、
前記情報表示手段に表示された前記ユーザに応じた情報を、当該ユーザが所持する携帯端末に送信する提供情報送信手段を有する表示装置。
【０１３７】
（付記８）
表示装置と、携帯端末とを有する表示システムであって、
前記表示装置は、
情報を表示する情報表示手段と、
前記携帯端末を所持するユーザの前記情報表示手段に対する位置を検出する位置検出手段と、
前記携帯端末からユーザ識別情報を取得する識別情報取得手段と、
前記情報表示手段のうち前記位置検出手段にて検出した位置に応じた領域に、前記識別情報取得手段にて取得されたユーザ識別情報を用いて検索されたユーザに応じた情報を表示させる制御手段とを有し、
前記携帯端末は、
前記ユーザ識別情報を前記表示装置に送信する識別情報送信手段を有する表示システム。
【０１３８】
（付記９）
付記８に記載の表示システムにおいて、
前記表示装置に接続されるサーバ装置を有し、
前記サーバ装置は、
前記情報表示手段に表示されるコンテンツ情報を記憶した第２の記憶手段と、
前記ユーザ識別情報を用いて前記第２の記憶手段から前記ユーザに応じたコンテンツ情報を検索する情報検索手段と、
前記表示装置から前記ユーザ識別情報を取得し、また、前記情報検索手段にて検索されたコンテンツ情報を前記表示装置に送信する第１の通信手段とを有し、
前記表示装置は、
前記識別情報取得手段にて取得されたユーザ識別情報を前記サーバ装置に送信し、また、前記サーバ装置から送信されたコンテンツ情報を受信する第２の通信手段を有し、
前記制御手段は、前記第２の通信手段にて受信されたコンテンツ情報を前記情報表示手段に表示させる表示システム。
【０１３９】
（付記１０）
付記９に記載の表示システムにおいて、
前記識別情報送信手段は、当該携帯端末を特定可能な端末特定情報を前記表示装置に送信し、
前記第２の通信手段は、前記識別情報送信手段から送信されてきた前記端末特定情報を受信し、該端末特定情報を前記サーバ装置に送信し、
前記第１の通信手段は、前記第２の通信手段から送信されてきた前記端末特定情報を受信し、
前記サーバ装置は、前記第１の通信手段にて受信された前記端末特定情報を用いて、前記送信したコンテンツ情報の提供に応じた料金を前記携帯端末に課金する課金処理手段を有する表示システム。
【０１４０】
（付記１１）
情報を表示する情報表示手段に対するユーザの位置を検出する位置検出処理と、
前記情報表示手段のうち前記位置検出処理にて検出した位置に応じた領域に、前記ユーザに応じた情報を表示する情報表示処理とを有する表示制御方法。
【０１４１】
（付記１２）
コンピュータに、
情報を表示する情報表示手段に対するユーザの位置を検出する位置検出手順と、
前記情報表示手段のうち前記位置検出手順にて検出した位置に応じた領域に、前記ユーザに応じた情報を表示する情報表示手順とを実行させるためのプログラム。
【０１４２】
（付記１３）
表示装置が、ユーザ識別情報を用いて検索されたユーザに応じた情報を前記ユーザの位置に応じた領域に表示する表示システムに用いられる携帯端末であって、
前記ユーザ識別情報を前記表示装置に送信する識別情報送信手段を有する携帯端末。
【０１４３】
（付記１４）
表示装置が、ユーザに応じた情報を前記ユーザの位置に応じた領域に表示する表示システムに用いられるサーバ装置であって、
前記表示装置に表示されるコンテンツ情報を記憶した記憶手段と、
前記表示装置にて前記ユーザが所持する携帯端末から取得されたユーザ識別情報を用いて前記記憶手段から前記ユーザに応じたコンテンツ情報を検索する情報検索手段と、
前記表示装置を介して前記ユーザ識別情報を取得し、また、前記情報検索手段にて検索されたコンテンツ情報を前記表示装置に送信する通信手段とを有するサーバ装置。
【符号の説明】
【０１４４】
１ａ，１ｂ，１０１    表示領域
２ａ，２ｂ    横基準
３ａ，３ｂ    縦基準
４ａ，４ｂ    検出領域
５ａ，５ｂ    認識範囲
１０，１１０，２１０    表示装置
１１    ディスプレイ
１２    近接センサ
１３    ＣＰＵ
１４，１４−１〜１４−ｎ，２１    近距離通信用アンテナ
１５，３１    メモリ
１６，３３    通信部
２０    携帯端末
３０，１３０    コンテンツサーバ
３２    情報検索部
３４    課金処理部
４０    通信回線
【図１】
2014089501.tif 000003
【図２】
2014089501.tif 000004
【図３】
2014089501.tif 000005
【図４】
2014089501.tif 000006
【図５】
2014089501.tif 000007
【図６】
2014089501.tif 000008
【図７】
2014089501.tif 000009
【図８】
2014089501.tif 000010
【図９】
2014089501.tif 000011
【図１０】
2014089501.tif 000012
【図１１】
2014089501.tif 000013
【図１２】
2014089501.tif 000014
【図１３】
2014089501.tif 000015
【図１４】
2014089501.tif 000016
【図１５】
2014089501.tif 000017
【図１６】
2014089501.tif 000018
【図１７】
2014089501.tif 000019